(57)【要約】      （修正有）【課題】水滴によりタッチパネルが見にくくなるのを防ぐ、とともに誤認識を防ぐ。【解決手段】表示部１１０が情報を表示し、近接センサ１３０−１，１３０−２が物体の接近を検知し、制御部１２０が近接センサ１３０−１，１３０−２における検知の結果に基づいて、表示部１１０の表示を制御し、複数のセンサが物体の接近を同時に検知した場合、表示部の表示を非表示とする。【選択図】図１
2012238152.tif 000002
【特許請求の範囲】
【請求項１】
タッチパネル機能部と、
情報を表示する表示部と、
物体の接近を検知する複数のセンサと、
前記複数のセンサにおける検知の結果に基づいて、前記表示部の表示を制御する制御部とを有する表示装置。
【請求項２】
請求項１に記載の表示装置において、
前記制御部は、前記複数のセンサが、物体の接近を同時に検知した場合、前記表示部の表示を非表示とすることを特徴とする表示装置。
【請求項３】
請求項１に記載の表示装置において、
前記制御部は、前記複数のセンサにおける検知の結果に基づいて、前記物体の移動方向を判断し、該移動方向へ前記表示部の表示を移動させることを特徴とする表示装置。
【請求項４】
請求項１または請求項２に記載の表示装置において、
前記制御部は、前記複数のセンサにおける検知の結果に基づいて、前記物体のかざし量を判断し、該かざし量に基づいて、前記表示部の表示を拡大または縮小させることを特徴とする表示装置。
【請求項５】
請求項１に記載の表示装置において、
前記複数のセンサに代えて、照度を測定する複数の照度センサを有し、
前記制御部は、前記複数の照度センサが測定した照度に基づいて、前記表示部の表示を制御することを特徴とする表示装置。
【請求項６】
請求項１に記載の表示装置において、
前記複数のセンサに代えて、複数のカメラを有し、
前記制御部は、前記複数のカメラが撮影した画像に基づいて、前記表示部の表示を制御することを特徴とする表示装置。
【請求項７】
タッチ操作を出力するタッチパネル機能処理と、
ディスプレイに情報を表示する処理と、
複数のセンサを用いて物体の接近を検知する処理と、
前記検知の結果に基づいて、前記ディスプレイの表示を制御する処理とを行う表示方法。
【請求項８】
コンピュータに、
タッチ操作を出力するタッチパネル機能の手順と、
ディスプレイに情報を表示する手順と、
複数のセンサを用いて物体の接近を検知する手順と、
前記検知の結果に基づいて、前記ディスプレイの表示を制御する手順とを実行させるためのプログラム。
【発明の詳細な説明】
【技術分野】
【０００１】
本発明は、情報を表示する表示装置、表示方法およびプログラムに関する。
【背景技術】
【０００２】
近年、タッチパネル機能を持つディスプレイが搭載された装置が市場に出回っている。このような装置においては、タッチパネルから複雑な入力操作が行えるものも考えられている（例えば、特許文献１参照。）。
【０００３】
そのような装置の代表として、スマートフォンが挙げられる。このスマートフォンは、急速に普及してきており、さらに防水仕様であるものも市場に出始めている。
【０００４】
防水仕様のスマートフォンの利用者は、例えば、入浴中に、当該スマートフォンを用いて、テレビを視聴したり、電子書籍を読んだり、または電子メールの作成を行ったりしている。
【先行技術文献】
【特許文献】
【０００５】
【特許文献１】特開２０１０−１１７８４２号公報
【発明の概要】
【発明が解決しようとする課題】
【０００６】
このようなスマートフォンを入浴中に使用した場合、水滴のついた指が画面に触れると、画面に水滴が付着してしまい、画面に表示されている情報が見にくくなってしまうという問題点がある。
【０００７】
さらに、タッチパネルが、画面に付着した水滴を指の接触であると誤認識をしてしまうおそれがある。
【０００８】
本発明の目的は、上述した課題を解決する表示装置、表示方法およびプログラムを提供することである。
【課題を解決するための手段】
【０００９】
本発明の表示装置は、
タッチパネル機能部と、
情報を表示する表示部と、
物体の接近を検知する複数のセンサと、
前記複数のセンサにおける検知の結果に基づいて、前記表示部の表示を制御する制御部とを有する。
【００１０】
また、本発明の表示方法は、
タッチ操作を出力するタッチパネル機能処理と、
ディスプレイに情報を表示する処理と、
複数のセンサを用いて物体の接近を検知する処理と、
前記検知の結果に基づいて、前記ディスプレイの表示を制御する処理とを行う。
【００１１】
また、本発明のプログラムは、
コンピュータに実行させるためのプログラムであって、
タッチ操作を出力するタッチパネル機能の手順と、
ディスプレイに情報を表示する手順と、
複数のセンサを用いて物体の接近を検知する手順と、
前記検知の結果に基づいて、前記ディスプレイの表示を制御する手順とを実行させる。
【発明の効果】
【００１２】
以上説明したように、本発明においては、水滴によるタッチパネルの誤認識を防ぐことができる。
【図面の簡単な説明】
【００１３】
【図１】本発明の表示装置の第１の実施の形態を示す図である。
【図２】図１に示した表示装置の外観の一例を示す図である。
【図３】図１に示した表示装置における表示方法を説明するためのフローチャートである。
【図４】図１に示した制御部における制御の第１の例を説明するための図である。
【図５】図１に示した制御部における制御の第１の例を説明するための図である。
【図６】図１に示した近接センサにて物体の接近を検知してからの制御を示すタイミングチャートである。
【図７】図１に示した制御部における制御の第２の例を説明するための図である。
【図８】図１に示した制御部における制御の第３の例のうち、拡大表示を説明するための図である。
【図９】図１に示した制御部における制御の第３の例のうち、縮小表示を説明するための図である。
【図１０】図１に示した制御部における制御の第４の例を説明するための図である。
【図１１】本発明の表示装置の第２の実施の形態を示す図である。
【図１２】図１１に示した表示装置の外観の一例を示す図である。
【図１３】本発明の表示装置の第３の実施の形態を示す図である。
【図１４】図１３に示した表示装置の外観の一例を示す図である。
【発明を実施するための形態】
【００１４】
以下に、本発明の実施の形態について図面を参照して説明する。
【００１５】
図１は、本発明の表示装置の第１の実施の形態を示す図である。
【００１６】
本形態における表示装置１００には図１に示すように、タッチパネル機能部１７０と、表示部１１０と、制御部１２０と、複数の近接センサ１３０−１，１３０−２とが設けられている。なお、図１には、表示装置１００が具備する構成要素のうち、本発明に関わるもののみを示した。また、表示装置１００は、防水仕様のスマートフォン等の電子装置である。
【００１７】
タッチパネル機能部１７０は、タッチ操作を検知して制御部１２０へ出力する。なお、このタッチパネル機能については、特に静電容量式タッチパネル型のものにおいて、本発明の特徴および効果が顕著に見られる。
【００１８】
表示部１１０は、情報を表示するディスプレイである。
【００１９】
近接センサ１３０−１，１３０−２は、物体の接近を検知するセンサである。また、近接センサ１３０−１，１３０−２は、物体の接近を検知した場合、その旨を制御部１２０へ通知する。なお、図１において、近接センサが２つである場合を例に挙げて示しているが、３つ以上のものであっても良い（後述する第２および第３の実施の形態について同じ）。また、近接センサ１３０−１，１３０−２が物体を検知する方式としては、多種の種類があるが、装置としての防水構造化が容易であり、水が付着していても物体の接近が検知できるものが望ましい。具体的には、赤外線を照射し、その反射波を受けて検知する赤外線方式である。また、水が付着していると比較的検知しにくい、装置としては開口部が必要である非防水構造で、超音波を発してその反射波を受けて検知する超音波方式でも代用することもできる。この場合は、センサが配置されている筐体表面、開口部に撥水コートを行い、検知を阻害する水を排水することが必須である。また、センサ自体も防水機能や撥水による排水ができるものであることは言うまでもない。
【００２０】
制御部１２０は、近接センサ１３０−１，１３０−２から通知される検知の結果に基づいて、表示部１１０の表示を制御する。例えば、制御部１２０は、近接センサ１３０−１，１３０−２の双方にて物体の接近が同時に検知された場合、表示部１１０に表示されている画面を消して（非表示として）、省電力モードへ移行する。また、制御部１２０における他の制御の具体例については、後述する。また、制御部１２０は、タッチパネル機能部１７０からの出力に応じて、表示部１１０の表示を制御する。
【００２１】
図２は、図１に示した表示装置１００の外観の一例を示す図である。
【００２２】
図１に示した表示装置１００は図２に示すように、表示部１１０と、レシーバ１６０とが表面に配置されており、レシーバ１６０の近辺に近接センサ１３０−２，１３０−２が配置されている。表示部１１０に指等を接触させることで、表示部１１０に表示されている画面を移動させたり、拡大表示させたり、画面上のカーソルを移動させたりすることができる。
【００２３】
以下に、図１に示した表示装置１００における表示方法について説明する。
【００２４】
図３は、図１に示した表示装置１００における表示方法を説明するためのフローチャートである。
【００２５】
まず、起動しているアプリケーション等により、表示部１１０に情報画面が表示されている状態で（ステップＳ１）、近接センサ１３０−１，１３０−２にて物体の接近が検知されたかどうかが制御部１２０にて判断される（ステップＳ２）。
【００２６】
近接センサ１３０−１，１３０−２にて物体の接近が検知されたと判断されると、制御部１２０によって、その検知に応じて、表示部１１０に表示されている表示画面が移動、拡大または縮小表示される（ステップＳ３）。
【００２７】
以下、制御部１２０における具体的な制御について、いくつか例を挙げて説明する。なお、以下の説明において、図面の上側を表示装置１００の上側とし、図面の下側を表示装置１００の下側とし、図面の右側を表示装置１００の右側とし、また、図面の左側を表示装置１００の左側とする。
【００２８】
図４および図５は、図１に示した制御部１２０における制御の第１の例を説明するための図である。
【００２９】
図４に示すように、指を近接センサ１３０−２に近づけることで、近接センサ１３０−２にて指の接近が検知される。その後、図５に示すように、指を上方向へ移動させ、近接センサ１３０−１に近づけると、近接センサ１３０−１にて指の接近が検知される。つまり、近接センサ１３０−２への接近と、近接センサ１３０−１への接近とが順に検知されることにより、制御部１２０にて、指が近接センサ１３０−２から近接センサ１３０−１の方向へ移動したと判断される。すると、近接センサ１３０−２から近接センサ１３０−１への方向へ、表示部１１０に表示されている画面（図４および５においては、顔）を移動させて表示するように制御部１２０にて制御される。一方、指を近接センサ１３０−１に近づけた状態から、指を下方向へ移動させ、近接センサ１３０−２に近づけると、表示部１１０に表示されている画面を下方向へ移動させて表示するように制御部１２０にて制御される。
【００３０】
図６は、図１に示した近接センサ１３０−１，１３０−２にて物体の接近を検知してからの制御を示すタイミングチャートである。ここでは、説明を簡素化するために、近接センサ１３０−１，１３０−２からの出力信号をデジタル信号とし、近接センサ１３０−１，１３０−２に指が接近した場合、「出力有り」とし、近接センサ１３０−１，１３０−２に指が接近していない場合は、「出力無し」とする。
【００３１】
図６の上段の図は、近接センサ１３０−１，１３０−２の出力の時間的変化を示している。図６の上段の図において、横軸は時間、縦軸は出力の有無のみを表し、量は示していない。指が近接センサ１３０−１，１３０−２と重なった場合、出力有りとしている。
【００３２】
この図６の上段の図によれば、図４に示した状態から図５で示した状態へ指の操作を行った場合、まず近接センサ１３０−２に指が接近すると、時刻ｔ０から出力が「有り」となり、その後時刻ｔ１に出力が「無し」となる。
【００３３】
続いて、近接センサ１３０−１に指が接近すると、時刻ｔ２から出力が「有り」となり、その後時刻ｔ３に出力が「無し」となる。
【００３４】
この出力を持って時刻ｔ２の出力を受けて、制御部１２０は、近接センサ１３０−１と近接センサ１３０−２との間の距離に操作係数をかけた量だけ画面（表示部１１０に表示されている）操作を行う。この操作係数は、比例する定数であっても良いし、時刻ｔ１から時刻ｔ２までの時間に応じて変動するものや、同一の画面操作に対する連続回数に応じて変動するものであっても良い。
【００３５】
なお、後述する他の操作を考慮すると、時刻ｔ２における出力を受けて、制御部１２０は、０＜ａ＜ｔ２−ｔ１＜ｂ（ａ、ｂは、ａ＜ｂとなる所定値）となる場合にのみ画面操作を行うのが望ましい。時刻ｔ２の出力に限定されず、時刻ｔ３の出力停止を受けて画面操作を行う処理としても良い。
【００３６】
さらに、時刻ｔ１から時刻ｔ２までの時間に応じて、制御部１２０が操作速度を変えることを行っても良い。
【００３７】
図６の中段の図は、時刻ｔ２における近接センサ１３０−１からの出力を受けて、制御部１２０が画面操作速度ｖ１で操作を行う例を示す図である。図６の中段の図において、縦軸の画面操作速度は画面のスクロールや拡大縮小、カーソルの移動速度を表している。また、横軸は図６の上段の図と同様に、時間軸としている。
【００３８】
図６の中段の図によれば、時刻ｔ２における近接センサ１３０−１からの出力を受けて、制御部１２０が、時刻ｔ１から時刻ｔ２までの時間に反比例するような画面操作速度ｖ１を算出し、算出した画面操作速度ｖ１で所定時間だけ画面操作を行う。図６の中段の図に示すように、近接センサ１３０−１からの出力が「無し」になるまで操作を行うとしても良い。
【００３９】
なお、後述する他の操作を考慮すると、時刻ｔ２における出力を受けて、制御部１２０は、０＜ａ＜ｔ２−ｔ１＜ｂとなる場合にのみ画面操作を行うのが望ましい。
【００４０】
図６の中段の図では、時刻ｔ２における出力を受けた場合の動作を説明したが、時刻ｔ３において出力が「無し」となったことをトリガとした動作であっても良い。
【００４１】
図６の下段の図は、時刻ｔ３において近接センサ１３０−１からの出力が「無し」となったとき、制御部１２０が、時刻ｔ１から時刻ｔ２までの時間に反比例するような画面操作速度ｖ３を算出し、算出した画面操作速度ｖ３で所定時間だけ画面操作を行う。図６の下段の図に示すように、制御部１２０が、近接センサ１３０−１の出力時間（ｔ３−ｔ２）だけ操作を行うとしても良い。
【００４２】
なお、後述する他の操作を考慮すると、時刻ｔ２における出力を受けて、制御部１２０は、０＜ａ＜ｔ２−ｔ１＜ｂとなる場合にのみ画面操作を行うのが望ましい。
【００４３】
このように、表示部１１０上に接触させた指の移動に伴う画面の上下の移動（例えば、画面スクロール）を、近接センサ１３０−１，１３０−２へ指を接近させることで行うことができる。図４および図５においては、近接センサ１３０−１，１３０−２が互いに上下方向に並べて配置されている場合を例に挙げて示しているが、互いに左右方向に並べて配置されているものであっても良い。その場合、表示部１１０上に接触させた指の移動に伴う画面の左右の移動を、近接センサ１３０−１，１３０−２へ指を接近させることで行うことができる。また、４つの近接センサを用いて、上下左右の移動を制御するものであっても良い。
【００４４】
図７は、図１に示した制御部１２０における制御の第２の例を説明するための図である。
【００４５】
図７に示すように、表示装置１００には、４つの近接センサ１３０−１〜１３０−４が搭載れている。近接センサ１３０−１，１３０−２は、図２に示したように、互いに上下方向に並べて配置されている。また、近接センサ１３０−３，１３０−４は、互いに左右方向に並べて配置されている。
【００４６】
例えば、指を近接センサ１３０−３に近づけた状態から、指を右方向へ移動させ、近接センサ１３０−４に近づけると、表示部１１０に表示されている画面を右方向へ移動させて表示するように制御部１２０にて制御される。また、指を近接センサ１３０−４に近づけた状態から、指を左方向へ移動させ、近接センサ１３０−３に近づけると、表示部１１０に表示されている画面を左方向へ移動させて表示するように制御部１２０にて制御される。上下方向については、上述したものと同じ制御が行われる。
【００４７】
このように、近接センサ上で指を移動させることで、制御部１２０にてその移動方向を判断し、タッチパネルの画面をスライドしたのと同様の機能を実現できる。電子書籍であればページを変更し、インターネットや電子メールの画面であれば画面スクロール、テレビ視聴であればチャンネル変更などが実現できる。
【００４８】
また、１本の指を近接センサ１３０−１，１３０−２のどちらか一方に接近させておき、他の１本の指を他方の近接センサにかざして、そのかざし量で、表示部１１０に表示されている画面を拡大または縮小するように制御するものであっても良い。
【００４９】
図８は、図１に示した制御部１２０における制御の第３の例のうち、拡大表示を説明するための図である。
【００５０】
図８に示すように、近接センサ１３０−２に親指を近接させておき、近接センサ１３０−１の一部に人差し指をかざすことで、表示部１１０に表示されている画面を拡大表示するように制御部１２０が制御するものであっても良い。この場合、その一部の量（かざし量：かざした部分の大きさ、広さ）に基づいて、その拡大率が調整されるものであっても良い。つまり、物体のかざし量が多ければ、拡大率を高いものとするものであっても良いし、その逆であっても良い。
【００５１】
図９は、図１に示した制御部１２０における制御の第３の例のうち、縮小表示を説明するための図である。
【００５２】
図９に示すように、近接センサ１３０−１に人差し指を近接させておき、近接センサ１３０−２の一部に親指をかざすことで、表示部１１０に表示されている画面を縮小表示するように制御部１２０が制御するものであっても良い。この場合、そのかざし量に基づいて、その縮小率が調整されるものであっても良い。つまり、物体のかざし量が多ければ、縮小率を高いものとするものであっても良いし、その逆であっても良い。
【００５３】
なお、図８および図９を用いて説明した例では、近接センサ１３０−１の一部に物体をかざしたときに拡大表示させ、近接センサ１３０−２の一部に物体をかざしたときに縮小表示させる場合を例に挙げて説明したが、その逆であっても良い。つまり、近接センサ１３０−２の一部に物体をかざしたときに拡大表示させ、近接センサ１３０−１の一部に物体をかざしたときに縮小表示させるものであっても良い。これらは、表示装置１００にあらかじめ設定されているものであれば、特に規定しない。
【００５４】
図１０は、図１に示した制御部１２０における制御の第４の例を説明するための図である。
【００５５】
図１０に示すように、一方の近接センサ（図１０においては、近接センサ１３０−２）に指を近接させておいた状態で、表示装置１００を傾けたとき、傾けた方向に応じて、表示部１１０の画面を移動させるように制御部１２０が制御するものであっても良い。
【００５６】
また、近接センサの代わりに、照度を測定する照度センサを用いるものであっても良い。
【００５７】
図１１は、本発明の表示装置の第２の実施の形態を示す図である。
【００５８】
図１２は、図１１に示した表示装置１０１の外観の一例を示す図である。
【００５９】
本形態における表示装置１０１には図１１および図１２に示すように、図１に示した近接センサ１３０−１，１３０−２の代わりに照度センサ１４０−１，１４０−２が設けられたものとなっている。
【００６０】
照度センサ１４０−１，１４０−２は、表示装置１０１の筺体外部の照度を測定するセンサであり、測定した照度を制御部１２１へ通知する。
【００６１】
制御部１２１は、照度センサ１４０−１，１４０−２から通知される照度に基づいて、表示部１１０の表示を制御する。照度センサ１４０−１，１４０−２が測定した照度が暗いものである場合、物体が照度センサ１４０−１，１４０−２に近づいていると、制御部１２１にて判断することができる。つまり、照度センサ１４０−１，１４０−２が測定する照度が、近接センサ１３０−１，１３０−２にて検知される物体の接近に相当するものとして制御することができる。
【００６２】
図１３は、本発明の表示装置の第３の実施の形態を示す図である。
【００６３】
図１４は、図１３に示した表示装置１０２の外観の一例を示す図である。
【００６４】
本形態における表示装置１０２には図１３および図１４に示すように、図１に示した近接センサ１３０−１，１３０−２の代わりにカメラ１５０−１，１５０−２が設けられたものとなっている。
【００６５】
カメラ１５０−１，１５０−２は、撮影用のカメラであり、撮影した画像を制御部１２２へ出力する。なお、カメラ１５０−１，１５０−２は、３Ｄ撮影用ツインカメラであっても良い。この３Ｄ撮影用ツインカメラは、撮像素子が１つでレンズ部が２つあり、左目用画像と右目用画像とを時分割で交互に撮影するようなものも２つのカメラとして含まれる。また、いずれのカメラも撮像部が配置された筐体に撥水処理を行うと、さらに望ましい。
【００６６】
制御部１２２は、カメラ１５０−１，１５０−２から出力されてきた画像に基づいて、表示部１１０の表示を制御する。つまり、制御部１２２は、カメラ１５０−１，１５０−２から出力されてきた画像に基づいて、当該画像に映り込んでいる物体の近接を判断する。具体的には、制御部１２２は、カメラ１５０−１，１５０−２から出力されてきた画像の暗部の面積が所定値以上であれば第２の実施の形態の照度センサ同様に暗いと判断でき、画像の中の色の違いや撮影輝度の違いをエッジ処理化した物体の形状であらかじめ定義した指状のものや物体を判断し、指や物体が近接したと判断できる。これにより、判断された接近が近接センサ１３０−１，１３０−２にて検知される物体の接近に相当するものとして制御することができる。
【００６７】
また、カメラにおいては必ずしも複数必要ではない。撮像画像中にあらかじめ定義した指や物体を検知し、連続して撮像した画像でその移動速度を計算しても良い。この場合は、指や物体までの正確な距離が測れる測距センサのようなものであれば良い。
【００６８】
なお、上述した近接センサ、照度センサおよびカメラを組み合わせて搭載したものであっても良い。つまり、図７に示した表示装置１００の上下方向には図１４に示した表示装置１０２のようにカメラ１５０−１，１５０−２を搭載し、左右方向には、近接センサ１３０−３，１３０−４を搭載するものであっても良い。また、カメラ１５０−１，１５０−２は、筐体を縦長方向に配置して利用者を自撮影する場合に３Ｄ撮影カメラとして用いるように配置しただけで、利用形態によっては近接センサ１３０−３，１３０−４と入れ替えても良いことは言うまでもない。また、近接センサ１３０−１と照度センサ１４０−２とを搭載するものであっても良い。つまり、物体の接近を検知できるセンサであれば、どのようなものであっても良い。
【００６９】
また、表示装置１００に温湿度センサや水滴センサを搭載させておき、温湿度センサや水滴センサが所定の温湿度や水滴量を検知したとき、上述した処理を起動するものであっても良い。
【００７０】
また、一般的なタッチパネルは、検出能力に上限があり、その上限を超えた場合には誤って検知する場合がある。そのため、指や物体の位置を出力しない、もしくは検知能力を超えた等のエラー信号に相当するものを出力する。その場合にのみ、上述したようなセンサによる処理を起動するものであっても良い。これにより、静電容量式タッチパネルのみならず、様々な方式のタッチパネルで検出できない状態や検出故障が発生した場合でも、代替操作方法として提供することもできる。
【００７１】
また、第１の実施の形態から第３の実施の形態まで、画面（表示部１１０）とは別の構成要素として、指や物を検知して入力するタッチパネル（タッチパネル機能部１７０）を備える構成を例に挙げて説明したが、表示部１１０がタッチパネル機能を具備することで、表示部１１０がタッチパネル機能をも担うものであっても良い。
【００７２】
このように、本発明においては、水滴によるタッチパネルの誤認識を防ぐことができる。
【００７３】
上述した表示装置１００（表示装置１０１，１０２についても同様）に設けられた各構成要素が行う処理は、目的に応じてそれぞれ作製された論理回路で行うようにしても良い。また、処理内容を手順として記述したコンピュータプログラム（以下、プログラムと称する）を表示装置１００にて読取可能な記録媒体に記録し、この記録媒体に記録されたプログラムを表示装置１００に読み込ませ、実行するものであっても良い。表示装置１００にて読取可能な記録媒体とは、フロッピー（登録商標）ディスク、光磁気ディスク、ＤＶＤ、ＣＤなどの移設可能な記録媒体の他、表示装置１００に内蔵されたＲＯＭ、ＲＡＭ等のメモリやＨＤＤ等を指す。この記録媒体に記録されたプログラムは、表示装置１００に設けられた制御部１２０にて読み込まれ、制御部１２０の制御によって、上述したものと同様の処理が行われる。ここで、制御部１２０は、プログラムが記録された記録媒体から読み込まれたプログラムを実行するコンピュータとして動作するものである。
【符号の説明】
【００７４】
１００〜１０２    表示装置
１１０    表示部
１２０〜１２２    制御部
１３０−１〜１３０−４    近接センサ
１４０−１，１４０−２    照度センサ
１５０−１，１５０−２    カメラ
１６０    レシーバ
１７０    タッチパネル機能部
【図１】
2012238152.tif 000003
【図２】
2012238152.tif 000004
【図３】
2012238152.tif 000005
【図４】
2012238152.tif 000006
【図５】
2012238152.tif 000007
【図６】
2012238152.tif 000008
【図７】
2012238152.tif 000009
【図８】
2012238152.tif 000010
【図９】
2012238152.tif 000011
【図１０】
2012238152.tif 000012
【図１１】
2012238152.tif 000013
【図１２】
2012238152.tif 000014
【図１３】
2012238152.tif 000015
【図１４】
2012238152.tif 000016